(57)【要約】【課題】組み付け順序を誤ると作業がやり直しになるといった不便がなく、トリガー部を本体部に組み付ける際に、ロック機構が作業の邪魔になることもなく、組立作業性に優れたトリガー式噴霧機構を提供すること。【解決手段】噴射ステム９を押し下げ可能に支持した本体部３３に、トリガー部３５が回動可能に連結されると共に、トリガー部３５の回動を規制するロック機構を備えるトリガー式噴霧機構である。ロック機構は、トリガー部３５に往復移動可能に装備されたロック部材４３と、本体部３３に突設されたストッパ突起４５とで構成される。これにより、トリガー部３５の組み付け前にロック機構の組み付けを完了させなければならないという不便が無くなり、組立作業性を向上させることができる。【選択図】図３
2018144831.tif 000002
【特許請求の範囲】
【請求項１】
容器の上端部から上方に延長する噴射ステムに接続するトリガー式噴霧機構において、
当該噴霧機構は、本体部と、前記噴射ステムに接続するステム押下部と、本体部の後方の回動部で回動自在に取り付けられたトリガー部とからなり、
前記ステム押下部は、その内部に容器内の内容液を吐出するための通路が設けられ、当該通路の始端部が前記噴射ステムと接続して上方向に延長し、その後横方向に折曲して、当該通路の先端の出口部が噴口を形成し、
前記トリガー部のレバーを手前側に引き寄せることにより、前記ステム押下部が下方に押し下げられて容器の内容液が噴霧され、
トリガー部の内壁面とステム押下部の上面部との間には、合成樹脂製の樹脂バネを介在させ、この樹脂バネは前記トリガー部の内壁面又はステム押下部の上面部に接続され、これによりトリガー部を常に上方向に付勢していることを特徴とするトリガー式噴霧機構。
【請求項２】
前記樹脂バネが板状の板バネからなり、若しくは、環状又は筒状の環状バネから成ることを特徴とする請求項１に記載のトリガー式噴霧機構。
【請求項３】
トリガー部の後方の回動部の上方に略水平方向に往復動するロック部材を設け、このロック部材を前方に押し込むことによりトリガー部の回動が阻止され、逆にこのロック部材を後方に引き出すことによりトリガー部の回動が可能となることを特徴とする請求項１又は２に記載のトリガー式噴霧機構。
【請求項４】
前記ロック部材は、前記トリガー部に設定されたロック位置とロック解除位置との間を往復移動可能に前記トリガー部に組み付けられ、前記ロック部材が前記ロック位置にあるときに該ロック部材に当接するように前記本体部にストッパ突起を設け、このストッパ突起に前記ロック部材が当接することにより前記トリガー部の回動が阻止され、
前記ロック部材は、前記トリガー部の内部に設けられたガイド孔の内部をスライド移動可能に設けられていることを特徴とする請求項３に記載のトリガー式噴霧機構。
【請求項５】
前記ロック部材の適宜位置には、突起部を設け、この突起部がトリガー部の壁面と当接することにより当該ロック部材がトリガー部から後方に抜け落ちないことを特徴とする請求項３又は４に記載のトリガー式噴霧機構。
【請求項６】
前記本体部で容器の噴射ステムと接続する部分において、前記噴射ステムを挿通する貫通孔を囲繞するように筒状壁部を設け、この筒状壁部の内壁面が前記ステム押下部の基端部の上下動をガイドできることを特徴とする請求項１乃至５の何れか１項に記載のトリガー式噴霧機構。
【発明の詳細な説明】
【技術分野】
【０００１】
本発明は、エアゾール容器やポンプ式噴霧容器の上端部に配設された噴射ステムに接続されるロック手段付きのトリガー形式の噴霧機構に関するものである。
【背景技術】
【０００２】
この種のトリガー式噴霧機構としては、例えばポンプ構造を有するものにあっては、ペットボトルやガラス瓶等の容器の口部に装着して、容器の内部の液体の噴射を可能にするもので、液体洗剤や香水等の噴射、あるいは殺虫用の薬液の噴射など、各種の用途に利用することができる。
【０００３】
或いは、エアゾール容器に装着するものにあっては、容器上端部に設けられたバルブステムに本発明に係るトリガー式噴霧機構を接続して、容器内の各種薬液を噴霧することができる。
【０００４】
図６は、従来のトリガー式噴霧機構を図示したものであり、その（Ａ）がロック状態の側面図、その（Ｂ）がロック解除状態の側面図、その（Ｃ）が（Ａ）図の中央縦断面図である。
ここに示したトリガー式噴霧機構５０は、下記特許文献１に開示されたもので、容器３の口部にねじ込みにより固定される本体部５と、該本体部５の軸芯部に押し下げ可能に支持されて押し下げ動作により容器３内の液体をステム押下部７から噴射する噴射ステム９と、一端が本体部５に回動可能に支持されて回動操作時に噴射ステム９を押し下げるトリガー部１１と、トリガー部１１の回動を阻止するために、噴射ステム９を押し下げ不能位置にトリガー部１１を固定するロック機構１３とを備えている。
【０００５】
トリガー部１１は、図６（Ｃ）に示すように、噴射ステム９の後方に延長する一端が、本体部５に一体形成されたレバー支持部１７に、支持ピン１５により回動自在に連結されている。
【０００６】
ロック機構１３は、図６（Ｃ）に示すように、ピン２１によって本体部５に回動可能に軸支されたレバー部材２３に、トリガー部１１の動きを阻止するストッパ片２４を一体形成したものである。
レバー部材２３は、図６（Ｃ）に矢印Ｘで示すように、ピン２１を中心として回動し、図６（Ａ）に示すロック位置（ＯＦＦ位置）と、図６（Ｂ）に示すロック解除位置（ＯＮ位置）に切り替えることができる。
【０００７】
レバー部材２３が図６（Ａ）に示したロック位置にあるときは、ストッパ片２４が図６（Ｃ）に示したように本体部５とトリガー部１１との間に挟まり、噴射ステム９を押し下げることができない。
レバー部材２３が図６（Ｂ）に示したロック解除位置にあるときは、レバー部材２３の回動に伴ってストッパ片２４が本体部５とトリガー部１１との間から離脱して、噴射ステム９を押し下げることが可能となる。
【先行技術文献】
【特許文献】
【０００８】
【特許文献１】特開２００４−２０９３１９号公報
【発明の開示】
【発明が解決しようとする課題】
【０００９】
しかしながら、上記トリガー式噴霧機構５０を組み立てる際には、トリガー部１１を本体部５に組み付ける前に、ロック機構１３を構成するレバー部材２３を本体部５に組み付けることが必要となる。
このように組み付け工程の順序があるために、誤ってトリガー部１１を先に本体部５に組み付けてしまうと、上記レバー部材２３を組み付けることができない。
そのような場合には、トリガー部１１を取り外して作業をやり直さなければならない。
更に、トリガー部１１を本体部５に取り付ける際に、先に本体部５に取り付けたレバー部材２３がトリガー部１１の取り付け位置付近で揺動するため、トリガー部１１の取付作業を行い難いという問題がある。
【００１０】
そこで、本発明においては、上記課題を解消することを目的とし、組み付け順序を誤ると作業がやり直しになるといった不都合がなく、また、トリガー部を本体部に組み付ける際に、ロック機構が組み付け作業の邪魔になることもなく、トリガー部の取り付けを容易にして、生産性を向上させることのできるトリガー式噴霧機構を提供することを課題としている。
更に、本発明においては、トリガー部のガタつきを防止できる構成を付加しており、ロック機構におけるロック動作の円滑化にも寄与する構成を創案することもその課題となる。
【課題を解決するための手段】
【００１１】
上記課題を解決するために、本発明の第１のものは、容器の上端部から上方に延長する噴射ステムに接続するトリガー式噴霧機構において、当該噴霧機構は、本体部と、前記噴射ステムに接続するステム押下部と、本体部の後方の回動部で回動自在に取り付けられたトリガー部とからなり、
前記ステム押下部は、その内部に容器内の内容液を吐出するための通路が設けられ、当該通路の始端部が前記噴射ステムと接続して上方向に延長し、その後横方向に折曲して、当該通路の先端の出口部が噴口を形成し、前記トリガー部のレバーを手前側に引き寄せることにより、前記ステム押下部が下方に押し下げられて容器の内容液が噴霧され、トリガー部の内壁面とステム押下部の上面部との間には、合成樹脂製の樹脂バネを介在させ、この樹脂バネは前記トリガー部の内壁面又はステム押下部の上面部に接続され、これによりトリガー部を常に上方向に付勢していることを特徴とするトリガー式噴霧機構である。
【００１２】
本発明の第２のものは、上記第１の発明において、前記樹脂バネが板状の板バネからなり、若しくは、環状又は筒状の環状バネから成ることを特徴とするトリガー式噴霧機構である。
【００１３】
本発明の第３のものは、上記第１又は第２の発明において、トリガー部の後方の回動部の上方に略水平方向に往復動するロック部材を設け、このロック部材を前方に押し込むことによりトリガー部の回動が阻止され、逆にこのロック部材を後方に引き出すことによりトリガー部の回動が可能となることを特徴とするトリガー式噴霧機構である。
【００１４】
本発明の第４のものは、上記第３の発明において、前記ロック部材は、前記トリガー部に設定されたロック位置とロック解除位置との間を往復移動可能に前記トリガー部に組み付けられ、前記ロック部材が前記ロック位置にあるときに該ロック部材に当接するように前記本体部にストッパ突起を設け、このストッパ突起に前記ロック部材が当接することにより前記トリガー部の回動が阻止され、前記ロック部材は、前記トリガー部の内部に設けられたガイド孔の内部をスライド移動可能に設けられていることを特徴とするトリガー式噴霧機構である。
【００１５】
本発明の第５のものは、上記第３又は第４の発明において、前記ロック部材の適宜位置には、突起部を設け、この突起部がトリガー部の壁面と当接することにより当該ロック部材がトリガー部から後方に抜け落ちないことを特徴とするトリガー式噴霧機構である。
【００１６】
本発明の第６のものは、上記それぞれの発明において、前記本体部で容器の噴射ステムと接続する部分において、前記噴射ステムを挿通する貫通孔を囲繞するように筒状壁部を設け、この筒状壁部の内壁面が前記ステム押下部の基端部の上下動をガイドできることを特徴とするトリガー式噴霧機構である。
【発明の効果】
【００１７】
本発明の第１のものにおいては、上記構成によれば、ロック機構として本体部とは別体に製造されるロック部材は、本体部に組み付けるトリガー部に対して組み付けられるもので、組み付けタイミングが、本体部にトリガー部を組み付けた後でも、本体部にトリガー部を組み付ける前でも、いずれも可能であり、組み付け順位を誤ると作業がやり直しになるといった不都合が生じない。
【００１８】
また、ロック機構を構成するロック部材は、本体部にトリガー部を組み付けた後で、トリガー部に組み付けるようにすれば、トリガー部を本体部に取り付ける際に、ロック機構となるロック部材の出っ張り等が取り付け作業を邪魔することがなく、トリガー部の取り付けが容易になることによって、トリガー式噴霧機構の生産性を向上させる。
【００１９】
本発明の第２のものにおいては、上記第１の発明において、樹脂バネの形態をより具体化したものである。その効果は上記第１の発明と同じである。
【００２０】
本発明の第３のものにおいては、上記発明に更にロック部材の構成を付加したものであり、このロック部材を前方に押し込むことによりトリガー部の回動が阻止され、逆にこのロック部材を後方に引き出すことによりトリガー部の回動が可能となることを特徴とするものである。
【００２１】
本発明の第４のものにおいては、上記第３の発明において、ロック部材を含むロック機構についてより限定したものである。その効果は上記発明と同じである。
【００２２】
本発明の第５のものにおいては、ロック部材の適宜位置に突起部を設けてこのロック部材がトリガー部から抜け落ちないように構成したものである。
【００２３】
本発明の第６のものにおいては、ステム押下部の基端部分をガイドできる筒状壁部を本体部に設けたことにより、ステム押下部の上下動を適切にガイドすることができることとなる。
【図面の簡単な説明】
【００２４】
【図１】本発明に係るトリガー式噴霧機構の第１実施形態を示し、その（Ａ）が側面図、その（Ｂ）が平面図であって、トリガー部がロックされている状態を示している。
【図２】上記第１実施形態を示し、その（Ａ）が図１（Ｂ）のＳ−Ｓ線断面図、その（Ｂ）がこの第１実施形態に係るトリガー部とロック部材を後方斜め上方から見た分解斜視図である。
【図３】上記第１実施形態に係るトリガー式噴霧機構のロック解除状態の中央縦断面図を示し、その（Ａ）がトリガー部の操作前を示し、その（Ｂ）がトリガー部のレバーを引き寄せ、ステム押下部を押し下げた状態を示している。
【図４】本発明のトリガー式噴霧機構に係る第２実施形態を図示する中央縦断面図である。
【図５】上記第２実施形態に係るステム押下部を図示しており、その（Ａ）が斜め前方から見た斜視図、その（Ｂ）が斜め後方から見た斜視図、その（Ｃ）が中央縦断面図である。
【図６】従来のトリガー式噴霧機構を示し、その（Ａ）がロック位置に有るときの側面図、その（Ｂ）がロック解除位置に有るときの側面図、その（Ｃ）がロック機構の部分を示す本体部及びトリガー部の断面説明図である。
【発明を実施するための形態】
【００２５】
以下、添付の図面と共に、本発明に係るトリガー式噴霧機構の実施形態について説明する。
図１は本発明に係るトリガー式噴霧機構の第１実施形態を示し、その（Ａ）が側面図、その（Ｂ）が平面図であって、トリガー部がロックされている状態を示している。
図２は上記第１実施形態を示し、その（Ａ）が図１（Ｂ）のＳ−Ｓ線断面図、その（Ｂ）がこの第１実施形態に係るトリガー部とロック部材を後方斜め上方から見た分解斜視図である。
【００２６】
この第１実施形態に係るトリガー式噴霧機構１０は、ポンプ式噴霧容器に取り付けられ
ている。
このトリガー式噴霧機構１０は、本体部３３と、この本体部３３の軸芯部に配置されたポンプ８及びポンプステム９と、このポンプステム９を押し下げることができるステム押下部７と、このステム押下部７を下方に押し下げることができるトリガー部３５とから成る。
【００２７】
上記トリガー部３５は、上記本体部３３の後方の上方部で、回動自在に回動部３５ａで軸支されている。
これにより、トリガー部３５の後方の回動部３５ａを中心としてトリガー部３５は回動する。
即ち、トリガー部３５の前方のレバー部３５ｃを指で引き寄せることにより、ステム押下部７が押し下げられ、ポンプステム９も押下され、容器内の内容液がステム押下部７の先端の噴口７ｆから外界に噴霧される。
【００２８】
上記トリガー部３５の後方の回動部３５ａの上方にはロック部材４３が設けられており、  
このロック部材４３は、略水平方向に往復動することができ、このロック部材４３を前方に押し込むとトリガー部３５の回動動作が阻止され、他方、後方に引き出すとトリガー部３５の回動動作が可能となる。
即ち、ロック部材４３を前方に押し込むとロックされ、後方に引き出すとロックが解除される。
【００２９】
更に、トリガー部３５の天部の内壁面には、板状の合成樹脂製の樹脂バネ３７が設けられ、その下方の先端部が上記ステム押下部７の上面に当接している。
これにより、トリガー部３５は常に上方方向に付勢された状態となり、トリガー部３５のガタ付きが防止される。
【００３０】
更に上記構成部材について詳説すると、上記本体部３３においては、その下端部分が筒状のキャップ形態を有し、その内壁面には雌ネジが刻設され、容器の口部に設けられている雄ネジと相互に螺合されて容器の口部に装着、固定される。
この本体部３３の軸芯部には、ポンプ８が固定されており、ポンプ８の上端からはポンプステム９が出没自在に突出している。
【００３１】
上記ポンプステム９にステム押下部７が接続する。
ステム押下部７には、上向き通路７ｕとそれに続く横向き通路７ｙとが設けられ、上向き通路７ｕの下端部が上記ポンプステム９と接続し、上記横向き通路７ｙの出口部が噴口７ｆとなる。
【００３２】
トリガー部３５においては、その後方の回動部３５ａが、本体部３３に一体形成されたトリガー支持部３９に支持ピン４１により回動自在に軸支されている。
トリガー部３５には、ステム押下部７の先端部分が挿通する長孔３５ｂが形成されており、この長孔３５ｂは、トリガー部３５の回動方向に沿って長い長孔に形成されている。
【００３３】
上記ロック部材４３は、側面視略惰円形状を有しており、この両端面を指で保持して操作することができる。
ロック部材４３の前方部にはトリガー部３５に設けられたガイド孔４７に挿入される挿入部４８が設けられている。
【００３４】
従って、ロック部材４３の挿入部４８をトリガー部３５のガイド孔４７内に挿入し且つ引き出すことによりロック部材４３は略水平方向に往復動する。
即ち、挿入部４８をガイド孔４７の一番奥まで押し込んで、ガイド孔４７の開口部の上縁４７ａに挿入部４８の後方の段差部４３ａが当接して、ロック部材４３が停止してロックされ、これがロック位置となる。
【００３５】
他方、ロック部材４３は、図２（Ａ）に示すロック位置から矢印Ｅ方向に引き出すと、後の図３（Ａ）に示すように、挿入部４８に装備されている係止片５１の突起５１ａが、ガイド孔４７の開口部の下縁に装備された抜け止め突起４７ｂに係合して、停止した状態になる。この状態の停止位置が、ロック解除位置である。
【００３６】
ロック位置からロック解除位置にロック部材４３を移動させるためのロック部材４３の引き出し操作は、楕円の樽形を呈しているロック部材４３の両側面を把持して行う。
【００３７】
他方、本体部３３の側に設けたストッパ突起４５は、図２（Ａ）に示したようにロック部材４３がロック位置にあるときに、該ロック部材４３の挿入部４８の下縁４８ａに当接するように本体部３３に突設され、このロック部材４３の挿入部４８との当接により、トリガー部３５の回動が阻止される。
ロック部材４３が、図３（Ａ）に示すようにロック解除位置に有るときには、挿入部４８がストッパ突起４５の上方から退避していて、ロック機能は働かない。
【００３８】
図３は、上記第１実施形態に係るトリガー式噴霧機構のロック解除状態の中央縦断面図を示し、その（Ａ）がトリガー部の操作前を示し、その（Ｂ）がトリガー部のレバーを引き寄せ、ステム押下部を押し下げた状態を示している。
図２（Ａ）に図示したロック状態において、ロック部材４３を矢印Ｅの方向に引き出すことによりロックが解除される。この状態を図３（Ａ）が図示しており、この図の状態ではトリガー部３５が操作されておらず、非噴霧状態である。
【００３９】
他方、トリガー部３５のレバー部３５ｃを引き寄せることにより、トリガー部３５が回動し、レバー部３５ｃに設けた長孔３５ｂの上縁部がステム押下部７を押し下げて噴射ステム９が押下され、容器内の内容液がステム押下部７の先端の噴口７ｆから外界に噴霧される。この状態を図３（Ｂ）が図示している。
【００４０】
この図３（Ｂ）の噴霧状態で、板状の樹脂バネ３７は湾曲し、レバー部３５ｃへの引き寄せ操作を終了すると、この樹脂バネ３７とポンプステム９の上方への復元力によりトリガー部３５が元の位置に復帰して噴霧が終了する。
そして、上記樹脂バネ３７の機能により、トリガー部３５は一番上の位置で付勢力が付加された状態で、トリガー部３５のガタ付きが防止される。
【００４１】
以上に説明した本発明の第１実施形態に係るトリガー式噴霧機構１０は、図３に示したようにロック部材４３がロック解除位置にある状態で、トリガー部３５のレバー部３５ｃを本体部３３側に引き寄せると、図３（Ｂ）に示すように、トリガー部３５が回動部３５を中心に下方に回動し、長孔３５ｂの上縁部５５がステム押下部７に当接し、ステム押下部７を押し下げる。
【００４２】
これにより噴射ステム９が押し下げられて、噴射ステム９のポンプ動作により容器内の内容液がステム押下部７の噴口７ｆから噴霧される。
レバー部３５ｃへの引き寄せ力を解除すると、噴射ステム９の復元力及び樹脂バネ３７による復元力で、トリガー部３５は図３（Ａ）の状態に戻るのである。
【００４３】
上記第１実施形態に係るトリガー式噴霧機構１０においては、本体部３３とは別体に製造されたロック部材４３は、トリガー部３５に組み付けられるものであり、その組み付けタイミングは、本体部３３にトリガー部３５を組み付けた後でも、或いは、本体部３３にトリガー部３５を組み付ける前でも、いずれのタイミングでも可能であり、組み付け順序を誤ると作業がやり直しになるという不都合が生じない。
【００４４】
また、ロック部材４３は、本体部３３にトリガー部３５を組み付けた後で、トリガー部３５に組み付けるようにすれば、トリガー部３５を本体部３３に取り付ける際に、ロック部材４３の出っ張り等が取り付け作業を邪魔することがなく、トリガー部３５の取り付けが容易になることによって、トリガー式噴霧機構の生産性を向上させることができる。
【００４５】
図４は、本発明のトリガー式噴霧機構の第２実施形態を図示する中央縦断面図である。
この第２実施形態においては、上記第１の実施形態と樹脂バネの形態が異なり、その他の構成はほぼ同様である。
この第２実施形態に係るトリガー式噴霧機構２０は、本体部３３と、この本体部３３の後方の回動部３５ａに回動自在に取り付けられたトリガー部３５と、略直角方向に折曲するステム押下部７とからなり、ステム押下部７の内部には、容器内の内容液が流通する通路が形成され、当該通路の始端部がポンプステム９と接続し、当該通路の出口には噴口７ｆが形成されている。
【００４６】
前記ポンプステム９は、ポンプ式噴霧容器の上端開口部を封止するキャップＣの上端面に装着された噴霧用ポンプ８の上端部から上方に延長する噴射ステムのことである。
このポンプ８は、前記容器のキャップの上端面に組み込まれており、この上端面に本発明に係る噴霧機構２０の本体部３３の基端部が合体されている。
この容器のキャップを含めて本実施形態に係る噴霧機構の本体部３３となる。
【００４７】
ステム押下部７の構成は、上記第１実施形態と基本的には同じであるが、その上面部に設けられた樹脂バネの形態が上記第１実施形態と異なる。
即ち、この樹脂バネは、合成樹脂製の環状のものから形成されているが、その詳細は後の図５において説明する。
【００４８】
更に、このステム押下部７の基端部７ｂは、本体部３３から上方に延長する筒状壁部１１ｗの内部に嵌入し、この筒状壁部１１ｗの内部で上下に往復動するように構成されている。
即ち、このステム押下部７をトリガー部３５が下方に押し下げることにより、ステム押下部７が押し下げられる。
他方、トリガー部３５への力を除き、これを元に戻すと、ステム押下部７も上方に復帰する。このステム押下部７が上方に復帰するのは、ポンプ内のコイルスプリングＳの付勢作用と樹脂バネ２７の復元力による。
【００４９】
前記トリガー部３５は、本体部３３の後方の回動部３５ａにて回動自在に設けられ、レバー部３５ｃを引き寄せることにより、トリガー部３５は、図中左方向に回動してステム押下部７を下方に押下することができる。
【００５０】
前記トリガー部３５の回動部３５ａの少し上方には、ロック部材４３が配設されている。
このロック部材４３の構成についても、上記第１実施形態とほぼ同じである。
即ち、その前方の挿入部４８がトリガー部３５に設けられたガイド孔の内部に嵌入するように配備され、略水平方向に往復動することができる。
【００５１】
このロック部材４３の下面には、下方に延長する突起５１ａが設けられており、この突起５１ａがトリガー部３５の前記ガイド孔の周縁部に当接することにより、当該ロック部材４３がトリガー部３５の内部から外部に脱落することが防止されるのである。
【００５２】
そして、本実施形態の一つの特徴である樹脂バネ２７が上記ステム押下部７の上面から上方に延長するように設けられている。
この樹脂バネ２７は、可撓性及び弾力性を有する合成樹脂製の環状の樹脂バネから成り、ステム押下部７の上面から上方に延長し、その上縁部がトリガー部３５の上面部内壁面に当接するように設けられている。
【００５３】
これによりトリガー部３５は、常に上方方向に付勢された状態に維持されるのであり、トリガー部３５の上下のガタ付きはほぼ抑制されるのである。
ロック状態というのは、トリガー部３５のレバー部３５ｃを引き寄せることが出来ない状態、つまり噴霧不可能状態のことである。
【００５４】
この実施形態でも、このロック状態というのは、ロック部材４３の挿入部４８が、トリガー部３５の上面内壁部から下方に延長する延長部と、本体部３３から上方に延長するストッパ突起４５との間に嵌入することによりトリガー部３５の回動が阻止され、これら両延長部間からロック部材４３の挿入部の先端部が後方に移動した状態となることにより、そのロック状態が解除される構成である。
【００５５】
従って、前記ロック部材４３を後方方向に引き出して前記ロック状態を解除することにより、トリガー部３５のレバー部３５ｃを使用者は引き寄せることができ、これによってステム押下部７を下方に押し下げ、容器内の内容液をステム押下部７の先端の噴口７ｆから外界に噴霧することができることとなるのである。
【００５６】
図５は、上記第２実施形態に係るステム押下部を示し、その（Ａ）が斜め前方から見た斜視図、その（Ｂ）が斜め後方から見た斜視図、その（Ｃ）が中央縦断面図である。
図５から良く解る通り、このステム押下部７は、全体が略直角に折曲した筒体からなり、内部に流通路を有し、上向き通路７ｕと横向き通路７ｙを有し、この流通路の入口部７ａが噴射ステムと接続し、その出口側には噴口チップ等が嵌合される。
【００５７】
上記ステム押下部７の上面部から上方に延長するように樹脂バネ２７が設けられている。
この樹脂バネ２７は、合成樹脂製のものから成り、環状に又は筒状に形成され、外周からの圧縮及び復帰動作を行うことができる。
この樹脂バネは、このステム押下部７とその上方のトリガー部３５の上面内壁面との間に配置され、トリガー部３５を常に上方に付勢することができる。
これにより、トリガー部３５のガタ付きが防止されるのである。
【００５８】
以上、実施形態について説明したが、本発明においては以下の通り種々設計変更を行うことができる。
まず、本発明に係るトリガー式噴霧機構は、上記実施形態においてはポンプ式噴霧容器に装着するものを例示したが、エアゾール容器に装着するものとして実施することもできる。
【００５９】
また、各構成部材のサイズや形状等は適宜必要に応じて設計変更することができる。
上記実施形態では、樹脂バネとして、板状のものと、環状又は筒状のものを例示したが、この樹脂バネの形態は種々設計変更することができ、要するに、ステム押下部とトリガー部の間に伸縮自在の弾性体が介在されていればよいものである。
【００６０】
上記樹脂バネは、トリガー部又はステム押下部の何れか一方から延設されていればよい。
他方、ロック部材もトリガー部の後方で出没自在に設けているが、ロック状態では、このロック部材の挿入部の下面が本体部のストッパ突起と当接して、トリガー部が回動しない構成であればよい。
【００６１】
ロック部材もその挿入部の下面に突起を設け、この突起が係合する突起部をトリガー部のガイド孔部分に形成し、相互に係合させて抜け落ち防止構造とすることができる。
これらの抜け落ち防止構造も適宜設計変更することができる。
以上、本発明においては、ロック部材と樹脂バネをその特徴とするトリガー式噴霧機構を提案することができた。
【符号の説明】
【００６２】
７：ステム押下部、９：噴射ステム、１０、２０：トリガー式噴霧機構、３３：本体部、３５：トリガー部、３５ａ：回動部、３５ｂ：長孔、３５ｃ：レバー部、３９：トリガー支持部、４１：支持ピン、４３：ロック部材、４３ａ：段差部、４５：ストッパ突起、４７：ガイド孔、４７ａ：上縁、４７ｂ：抜け止め突起、４８：挿入部、５１：係止片、５１ａ：突起、５５：上縁部
【図１】
2018144831.tif 000003
【図２】
2018144831.tif 000004
【図３】
2018144831.tif 000005
【図４】
2018144831.tif 000006
【図５】
2018144831.tif 000007
【図６】
2018144831.tif 000008